(57)【要約】      （修正有）【課題】簡単な製造方法で印刷スピードも上げられコストも安く、広告面を約２倍確保することが可能となるハガキ付きチラシを提供する。【解決手段】 台紙３に折線４を介して貼付紙２を連設し、この貼付紙２の端部に補強紙５を強粘着した重合部２５を構成する。前記重合部２５の端部をハガキ１０の一部を突出部１０ａとして残して切り欠き、前記重合部２５の残存部分にハガキ１０の一部を構成するミシン目を形成し、前記貼付紙５を前記折線４によって台紙３の上に折り畳んで弱粘着する。【選択図】図５
0003136856.tif 000002
【実用新案登録請求の範囲】
【請求項１】
台紙に折線を介して貼付紙を連設し、この貼付紙の端部に、ハガキの大きさ以上の補強紙を強粘着した重合部を構成し、前記重合部の端部をハガキの一部を突出部として残して切り欠き、前記重合部の残存部分にハガキの一部を構成するミシン目を形成し、前記貼付紙を前記折線によって台紙の上に折り畳んで弱粘着してなり、
前記ハガキの突出部を掴んで貼付紙を台紙より剥離可能とすると共に、ハガキをミシン目より切り取ることができるハガキ付きチラシ。
【考案の詳細な説明】
【技術分野】
【０００１】
本考案は、新聞の折り込み広告等に使用するチラシに関するものであり、特に一部にハガキを備えたチラシに関するものである。
【背景技術】
【０００２】
従来よりハガキを構成したチラシを作る場合は、郵便法の規定に合致するためにハガキとして使用可能な紙の厚さを確保する必要があった。しかしながら、紙を厚くすると紙代がかさみ、配送、配布コストも高くなるという問題点があった。
また、チラシの配布コストは広告スペースの大きさに比例する場合が多く、配布コストをおさえようとすると広告スペースを小さくする必要があった。
【０００３】
このような状況に対して特許文献１に、安価でしかも申込意欲を向上させることができるハガキ付きチラシとその製造方法が提案されていた。
【特許文献１】特開２００６−６２１３１
【０００４】
この特許文献１に記載の発明は、薄紙からなるチラシ本体１１と、前記チラシ本体上に配置され、その一端が前記チラシ本体の一端と綴じ合わされた薄紙からなる付属シート１２と、前記チラシ本体上に配置され、その一端が前記チラシ本体の他端と綴じ合わされ、郵便法のハガキに関する規定に合致した厚みや重量を有する厚紙によって作製された分離可能なハガキ部を有するハガキ用シート１３とを備えるハガキ付きチラシである。
【考案の開示】
【考案が解決しようとする課題】
【０００５】
前記のハガキ付きチラシは、ハガキ用シート１３が厚みと重量を有する厚紙によって作製されているため、チラシの作成にコストがかさみ手間もかかるため、従来の問題点を解決するものではなかった。
本考案は従来のチラシの問題点を克服し、簡単な製造方法で印刷スピードも上げられコストも安く、広告面を約２倍確保することが可能となるハガキ付きチラシを提供する。
【課題を解決するための手段】
【０００６】
本考案の要旨とするところは、台紙に折線を介して貼付紙を連設し、この貼付紙の端部に、ハガキの大きさ以上の補強紙を強粘着した重合部を構成し、前記重合部の端部をハガキの一部を突出部として残して切り欠き、前記重合部の残存部分にハガキの一部を構成するミシン目を形成し、前記貼付紙を前記折線によって台紙の上に折り畳んで弱粘着してなり、前記ハガキの突出部を掴んで貼付紙を台紙より剥離可能とすると共に、ハガキをミシン目より切り取ることができるハガキ付きチラシである。
【考案の効果】
【０００７】
本考案は、配布に際しては折り畳まれているが、使用に際しては大きく拡げることができるため広告面を約２倍にすることができる。また、新聞折り込み用のチラシとして使用した場合、構成が斬新なため顧客の目に留まりやすく、訴求効果の大きいチラシとなる。
また、ハガキの突出部を掴んでチラシを大きく拡げることができるため、ハガキの注目度を高めることができる。さらにハガキをミシン目を使って取りはずすことが容易にできるため、商品購入や資料請求へつなげる効果もきわめて大きいものとなる。
本考案に使用する紙は薄いチラシ用紙を使用し、製造方法も簡単で印刷スピードも上げられたため比較的安いコストに抑えることができる等の効果を有する。
【考案を実施するための最良の形態】
【０００８】
本考案の最良の実施形態は、台紙に折線を介して台紙と同じ大きさの貼付紙を連設したチラシを構成し、前記貼付紙の側端部に補強紙を強粘着して重合部を構成する。
この重合部の一側端をハガキの一部を突出部として残して切り欠くと共に、重合部の残りの部分にはハガキの一部を構成するミシン目を形成する。
前記貼付紙を折線によって台紙の上に折り畳んで弱粘着することによって、チラシを新聞に折り込み可能な大きさとする。チラシを拡げるときは、前記ハガキの一部となる突出部を掴んで貼付紙を台紙より剥離するハガキ付きチラシである。
【０００９】
次に、図面に基づいて本考案の一実施態様を説明する。図１は本考案の一実施形態の正面図、図２は同展開図、図３乃至図８は同製作工程を示す説明図である。
【００１０】
本実施形態のハガキ付きチラシＡは、新聞の折込広告に用いる広告用紙約２枚分を横長にしたチラシ１を折線４によって二ッ折にした形状である。
【００１１】
まず、図３乃至図８に基づいてハガキ付きチラシＡの製作工程を説明する。
図３に示すように、チラシ１は同じ大きさの２枚の貼付紙２，台紙３を折線４で連設した形状である。このチラシ１の表面と裏面は広告面であり所定の広告を印刷する。このチラシ１と別体に補強紙５を構成する。
【００１２】
次に図４に示すように前記貼付紙２の側端部（図中左端）に、別体として構成した補強紙５を強粘着して重合部２５を構成する。この補強紙５は長方形であり、高さＬ１は貼付紙２の高さと同一で幅Ｌ２は後述するハガキ１０の幅より大きく、材質は貼付紙２と同一の薄紙である。従って、重合部２５は補強紙５の粘着によって紙の厚さが２倍になっているためハガキとしての使用に耐えるものとなっている。
ここで強粘着とは、貼付紙２と台紙３を剥離できないように張り合わせることをいう。
【００１３】
次に、重合部２５の側端を切り欠いてハガキ１０の一部を突出して突出部１０ａを構成する。すなわち、図５に示すように重合部２５の端縁２ａと平行で所定距離内側に設けた端縁２ｂによって重合部２５を縦に切り欠くが、前記端縁２ａと端縁２ｂの間に、端縁２ａと平行なハガキ１０の左端縁１１を構成して、長方形の突出部１０ａを構成する。
【００１４】
次いで図６に示すように重合部２５に、ハガキ１０の大きさに合わせてミシン目を入れて、ハガキ１０の上端縁１２と右端縁１３及び下端縁１４を構成する。このハガキ１０は官製ハガキの大きさである。
前記ハガキ１０の左端縁１１及び重合部２５の端縁２ｂの位置は任意に決定できる。
これによって重合部２５の上にハガキ１０が構成され、かつこのハガキ１０の左端の一部は重合部２５の左端縁２ｂより外側に突出して突出部１０ａを形成している。
【００１５】
この突出部１０ａは、貼付紙２をめくるときに掴む部分であるから、前記ミシン目の強度は貼付紙２をめくるために十分な強度であり、かつハガキ１０を切り取り易い強度に調整しなくてはならない。
【００１６】
その後、図７に示すようにハガキ１０の突出部１０ａを除いた貼付紙２と補強紙５の全面に粘着剤を塗布して折線４より折って台紙３の上に弱粘着して、図８の完成状態となる。
ここで弱粘着とは、貼付紙２を台紙３から容易に剥離できるように粘着することをいう。
【００１７】
前記のように作成した本実施形態のハガキ付きチラシの作用を説明する。
まず、図１の状態で折り込み用チラシとして新聞に折込んで使用する。チラシ１の表面と裏面は所定の広告が印刷されていて、新聞折込み時に拡がらないように２枚重ねに折り畳まれている。
【００１８】
次いで、ハガキ１０の突出部１０ａを掴んで貼付紙２をめくって開き、図２の状態とする。このとき突出部１０ａは台紙３に粘着されておらず、また貼付紙２と補強紙５も台紙３に弱粘着されているため、台紙３より容易に剥離することができるのである。これによりチラシ１の広告面は左右に拡がる。
【００１９】
チラシ１に印刷された広告を見てハガキ１０で応募するときは、ハガキ１０をその上端縁１２、右端縁１３、下端縁１４のミシン目に沿って切り取って使用すればよい。
前述のように、ハガキ１０の厚さは貼付紙２と補強紙５の合計の厚さであるため強度が確保され、郵便法による厚さをカバーすることができる。また貼付紙２の殆どの部分と台紙３はチラシ用紙１枚のみによって構成されているから従来と変らず薄く、広告用紙として安価で効率的である。
【図面の簡単な説明】
【００２０】
【図１】本考案の一実施形態の正面図
【図２】本考案の一実施形態の展開図
【図３】本考案の一実施形態の製作工程を示す説明図
【図４】本考案の一実施形態の製作工程を示す説明図
【図５】本考案の一実施形態の製作工程を示す説明図
【図６】本考案の一実施形態の製作工程を示す説明図
【図７】本考案の一実施形態の製作工程を示す説明図
【図８】本考案の一実施形態の製作工程を示す説明図
【符号の説明】
【００２１】
Ａ  広告
１  チラシ
２  貼付紙
３  台紙
４  折線
５  補強紙
１０  ハガキ
１０ａ  突出部
１１  ハガキの左端縁
１２  ハガキの上端縁
１３  ハガキの右端縁
１４  ハガキの下端縁
２５  重合部
【図１】
0003136856.tif 000003
【図２】
0003136856.tif 000004
【図３】
0003136856.tif 000005
【図４】
0003136856.tif 000006
【図５】
0003136856.tif 000007
【図６】
0003136856.tif 000008
【図７】
0003136856.tif 000009
【図８】
0003136856.tif 000010